(57)【要約】【課題】電子情報を配信するための技術、特に、電子ネットワークにおいて搬送オペレータを効率的に利用するためのシステム及び方法を提供する。【解決手段】電子ネットワークにおいて搬送オペレータを効率的に利用するためのシステム及び方法は、電子ネットワークを通して情報配信手順を実行することによって情報配信サービスを提供するように構成された情報サービスを含む。デバイスユーザが情報サービスと通信して情報配信サービスを受信するためのユーザデバイスが提供される。搬送構造が、ユーザデバイスと通信するために利用され、情報サービスからの選択されたコンテンツ及び広告情報をデバイスユーザのうちのターゲットにしてものに提供する。搬送オペレータが、以上の情報配信手順を効率的にサポートする様々な適切な搬送管理機能を実行する。【選択図】図１
2010211808.tif 000002
【特許請求の範囲】
【請求項１】
情報配信手順をサポートするためのシステムであって、
電子ネットワークを通して情報配信手順を実行することによって情報配信サービスを提供するように構成された情報サービスと、
デバイスユーザが前記情報サービスと通信して前記情報配信サービスを受信するために利用するユーザデバイスと、
前記情報配信手順をサポートする搬送管理機能を実行する搬送オペレータと、
を含むことを特徴とするシステム。
【請求項２】
選択された情報を前記情報サービスから前記デバイスユーザのうちのターゲットにしたものへ提供するためのメタデータを収集するために前記ユーザデバイスと通信する搬送構造を更に含むことを特徴とする請求項１に記載のシステム。
【請求項３】
前記搬送構造が要求タデータ、広告情報、及び電子コンテンツを取得又は預けるためのローカルアクセスを提供するために前記電子ネットワークを通して分散され、前記搬送オペレータのリポジトリマネージャによって制御される記憶リポジトリを更に含み、
前記選択された情報は、前記広告情報及び前記電子コンテンツを含む、
ことを特徴とする請求項２に記載のシステム。
【請求項４】
前記搬送オペレータは、搬送サーバ上に実施され、該搬送オペレータは、システム管理者が前記情報配信手順の作動パラメータをビューして制御するために使用するダッシュボードグラフィカルユーザインタフェースを生成して表示するダッシュボードマネージャを含むことを特徴とする請求項１に記載のシステム。
【請求項５】
前記搬送オペレータは、前記選択された情報を前記デバイスユーザに搬送するための最適搬送ルートを判断するルーティングモジュールを含むことを特徴とする請求項２に記載のシステム。
【請求項６】
前記搬送オペレータは、前記搬送構造の活動を連続的にモニタして記録する搬送構造モニタを含み、該搬送オペレータは、前記選択された情報を搬送するために支払われる適切な送信費を判断する送信費計算器を含み、該搬送オペレータは、該選択された情報を受信するために前記デバイスユーザに請求する適切な搬送費を判断する搬送費計算器を含むことを特徴とする請求項２に記載のシステム。
【請求項７】
前記搬送オペレータは、前記選択された情報を前記デバイスユーザのうちのターゲットにしたものに適合させるために前記メタデータを解析するメタデータ解析器を含み、該メタデータ解析器はまた、該選択された情報を受信することに関心を有すると予想される該デバイスユーザのコミュニティを作成するために該メタデータを解析することを特徴とする請求項２に記載のシステム。
【請求項８】
前記搬送オペレータは、前記選択された情報の送信を財政的に正当化するほど十分に大きな数のターゲットデバイスユーザが現在存在しているか否かを判断するための該ターゲットデバイスユーザの現在のレベルをモニタする搬送トリガモジュールを含み、該搬送トリガモジュールは、所定の送信トリガ閾値に達した時に該選択された情報を該搬送オペレータが送信することを許可することを特徴とする請求項１に記載のシステム。
【請求項９】
前記搬送オペレータは、前記搬送構造から誤りのある又は欠陥のある情報を取り除いて隔離するデータ欠陥マネージャを含み、該データ欠陥マネージャは、次に、該欠陥のある又は誤りのある情報を修復するか、又は破壊して取り替えることを特徴とする請求項２に記載のシステム。
【請求項１０】
前記搬送オペレータは、前記情報配信手順をサポートするための搬送オペレータデータを維持して更新し、該搬送オペレータデータは、前記搬送構造の搬送構造ナビゲーション履歴、該搬送構造の全ての活動の搬送構造ログ、及び該搬送構造に対する所定の許可されたダウンロード及びアップロード機能とあらゆるダウンロード及び／又はアップロード制約とに関する搬送構造アップロード／ダウンロード権利を含むことを特徴とする請求項２に記載のシステム。
【請求項１１】
情報配信手順をサポートするためのユーザデバイスであって、
ユーザデバイスが情報サービスと通信して情報配信サービスを受信するために利用するデバイスアプリケーションと、
ユーザデバイスと通信し、かつ前記情報サービスからの選択された情報をこのユーザデバイスのデバイスユーザをターゲットにするメタデータを収集する搬送構造と、
前記メタデータを利用することによってデバイスユーザをターゲットにした１つ又はそれよりも多くの広告を前記情報サービスから受信し、かつ前記情報配信手順をサポートする搬送管理機能を実行する搬送オペレータとも通信する通信モジュールと、
を含むことを特徴とするデバイス。
【請求項１２】
前記選択された情報は、広告情報及び電子コンテンツを含むことを特徴とする請求項１１に記載のユーザデバイス。
【請求項１３】
前記搬送構造が要求メタデータ、情報、広告、及びコンテンツを取得又は預けるためのローカルアクセスを提供するために前記電子ネットワークを通して分散され、前記搬送オペレータのリポジトリマネージャによって制御される記憶リポジトリを更に含むことを特徴とする請求項１１に記載のユーザデバイス。
【請求項１４】
前記搬送オペレータは、搬送サーバ上に実施され、該搬送オペレータは、システム管理者が前記情報配信手順の作動パラメータをビューして制御するために使用するダッシュボードグラフィカルユーザインタフェースを生成して表示するダッシュボードマネージャを含むことを特徴とする請求項１１に記載のユーザデバイス。
【請求項１５】
前記搬送オペレータは、前記選択された情報をデバイスユーザに搬送するための最適搬送ルートを判断するルーティングモジュールを含むことを特徴とする請求項１１に記載のユーザデバイス。
【発明の詳細な説明】
【技術分野】
【０００１】
本発明は、一般的に、電子情報を配信するための技術に関し、より具体的には、電子ネットワークにおいて搬送オペレータを効率的に利用するためのシステム及び方法に関する。
【背景技術】
【０００２】
電子情報を配信するための効率的な方法を実施することは、最新の電子システムの設計者及び製造業者に対する大きな考慮事項である。しかし、電子デバイスによって利用される電子情報を効率的に配信することは、システム設計者に対してかなりの難問を生じる場合がある。例えば、向上したデバイス機能及び性能に対する増大した要求は、より大きなシステム処理力を必要とし、付加的なソフトウエアリソースを必要とする場合がある。処理又はソフトウエア要件における増大はまた、増加した生産コスト及びオペレーションの効率の悪さのために対応する経済的悪影響をもたらす場合がある。
【０００３】
更に、様々な進化した配信オペレーションを実行するための拡張されたシステム機能は、システムユーザに対して付加的な利益を提供することができるが、様々なシステム構成要素の制御及び管理に増大した要求を課すであろう。例えば、電子広告情報を効率的に管理する電子システムは、関わっているデジタルデータの多さ及び複雑さのために効率的な実施から恩典を受けると考えられる。
【発明の概要】
【発明が解決しようとする課題】
【０００４】
システムリソースに対する増大する要求及び大幅に増加するデータマグニチュードのために、電子情報を電子デバイスに配信するための新しい技術を開発することは、関連の電子技術に関する懸案事項であることは明らかである。従って、上述の理由の全てに対して、電子情報を配信するための効率的な技術の開発は、依然として現代の電子デバイスの設計者、製造業者、及びユーザに対して大きな考慮事項である。
【課題を解決するための手段】
【０００５】
本発明により、電子ネットワークにおいて搬送オペレータを効率的に利用するためのシステム及び方法を開示する。一実施形態では、配信システムは、対応するユーザデバイスのデバイスユーザによる利用ための様々なタイプの適切な情報を自動的に提供する。例えば、配信される情報は、以下に限定されるものではないが、特定のデバイスユーザをターゲットにした商業広告情報を含むことができる。望ましい広告情報に能動的にアクセスするように消費者に要求する「プル」モデルをサポートする従来の広告技術とは異なり、上述の配信システムは、デバイスユーザと様々な広告主の両方を定める対応するメタデータファイルに基づいて、ターゲットデバイスユーザに適切な広告情報を自動的に選択して送信する「プッシュ」モデルをサポートする。
【０００６】
一実施形態では、配信システムは、様々なタイプの関連情報を配信システムにおける適切なエンティティに及びそこから自動的に搬送する１つ又はそれよりも多くの搬送構造をサポートして利用することができる。例えば、搬送構造を利用して、様々なデバイスユーザ、ユーザデバイス、電子ネットワーク、及びそれぞれの広告主に関するメタデータを情報サービスから収集して転送することができる。更に、搬送構造は、ターゲットの広告及び／又は電子コンテンツを適切なユーザデバイスに搬送するためにも利用することができる。
【０００７】
本発明により、配信システムは、様々な配信サービスを管理及びサポートするロバストで調整された手段を提供するための搬送オペレータを搬送サーバから効率的に利用する。例えば、搬送オペレータは、ダッシュボードグラフィカルユーザインタフェース（ＧＵＩ）を生成して表示することができ、これは、システム管理者が、その制御の下で搬送構造全ての動き及び活動を追跡してそれと対話することを可能にする。搬送オペレータは、各搬送構造の初期起動や進行中の搬送の動きを制御し、かつ認可されたドッキングポートでの情報、広告、及びコンテンツのロード及びアンロードを許可する。
【０００８】
搬送オペレータはまた、許可された受信者へ及びそこからの情報、広告、及びコンテンツの収集、搬送、及び配信を受信し、作業し、かつステージングするために世界中のローカル領域に記憶リポジトリを維持することができる。更に、搬送オペレータは、最も経済的な搬送ルートやビット転送レートに基づいて搬送構造にルーティング命令を提供し、情報、広告、及びコンテンツの最も費用対効果の高い搬送を得るために、これらの条件を「インターネットサービスプロバイダ（ＩＳＰ）」及び光ファイバ帯域幅プロバイダと交渉する。
【０００９】
ある一定の実施形態では、搬送オペレータは、情報、広告、及びコンテンツの搬送構造の現在の在庫量、そのドッキングポート、情報、広告、コンテンツのロード及びオフロード、ビットレート、及び移動されるルート及び送信パイプラインを含む各搬送構造に対する総合的なメタデータログを維持する。搬送オペレータはまた、ユーザデバイスから搬送オペレータに提供されて搬送構造に対して連続的にアップロードされるプライベートな消費者情報によって常に更新されるユーザ認可プロフィールに基づく広告主からの直接コマーシャルメッセージングのためのデバイスユーザのアグリゲータとして機能する。
【００１０】
搬送オペレータは、次に、この消費者情報を消費者の要求製品又はサービスの必要性に適合する広告主へ公開することができる（デバイスユーザの認可許可に従って）。搬送オペレータは、搬送オペレータへの費用として、最良製品価格、最良製品又はサービス条件、及び最良コスト・パー・サウザンド（ＣＰＭ）を含む消費者にアクセスするための価格に関して広告主と交渉することができる。
【００１１】
搬送オペレータはまた、十分なデバイスユーザがコマーシャルメッセージングポッドに集約され、かつパッケージリリースをトリガするために好みのコンテンツの競争が起こる場合に、コマーシャルメッセージング及び広告主供給の視聴に対するデバイスユーザの予想的又は直観的コンテンツ選択の両方をデバイスユーザのためにパッケージ化することができる。少なくとも以上の理由のために、本発明は、従って、電子ネットワークにおいて搬送オペレータを効率的に利用するための改善したシステム及び方法を提供するものである。
【図面の簡単な説明】
【００１２】
【図１】本発明の一実施形態による配信システムのブロック図である。
【図２】本発明による搬送構造の一実施形態のブロック図である。
【図３】本発明による図１からのユーザデバイスの一実施形態のブロック図である。
【図４】本発明による図３からのユーザメモリの一実施形態のブロック図である。
【図５】本発明による図１からの情報サービスの一実施形態のブロック図である。
【図６Ａ】本発明による図５及び７からの搬送サーバの一実施形態のブロック図である。
【図６Ｂ】本発明による図６Ａからの搬送サーバメモリの一実施形態のブロック図である。
【図７】本発明による図１からの情報サービスの代替実施形態のブロック図である。
【図８】本発明による図５からのリポジトリの一実施形態のブロック図である。
【図９】本発明による図６Ｂからの搬送オペレータの一実施形態のブロック図である。
【図１０】本発明による搬送オペレータデータの一実施形態のブロック図である。
【発明を実施するための形態】
【００１３】
本発明は、電子データ配信技術における改善に関する。以下の説明は、当業者が本発明を使用することを可能にするために示されており、特許出願及びその要件の関連において提供するものである。開示する実施形態への様々な修正は、当業者には明らかであろうし、本明細書における一般原理は、他の実施形態に応用することができる。従って、本発明は、図示の実施形態に制限されないが、本明細書に説明する原理及び特徴に矛盾のない様々な範囲に従うものとする。
【００１４】
本発明は、電子ネットワークにおいて搬送オペレータを効率的に利用するためのシステム及び方法を含み、電子ネットワーク上で情報配信手順を実行することによって情報配信サービスを提供するように構成された情報サービスを含む。ユーザデバイスは、デバイスユーザが情報サービスと通信して情報配信サービスを受信するために提供される。搬送構造は、ユーザデバイスと通信するために利用され、情報サービスからの選択されたコンテンツ及び広告情報をデバイスユーザのうちのターゲットデバイスユーザに提供する。搬送オペレータは、上述の情報配信手順を効率的にサポートするために様々な適切な搬送管理機能を実行する。
【００１５】
ここで図１を参照すると、本発明の一実施形態による配信システム１１０のブロック図が示されている。図１の実施形態では、配信システム１１０は、以下に限定されるものではないが、１つ又はそれよりも多くのユーザデバイス１２２、情報サービス１１８、及びネットワーク１２６を含むことができる。代替実施形態では、配信システム１１０は、図１の実施形態に関して説明した構成要素及び構成のある一定のものに追加の又はそれらの代わりの構成要素及び構成を利用することによって実施することができる。
【００１６】
本発明により、配信システム１１０は、対応するユーザデバイス１２２のデバイスユーザによって利用するための様々なタイプの適切な情報を自動的に提供する配信手順を有利にサポートする。例えば、配信される情報は、以下に限定されるものではないが、ユーザデバイス１２２の適切なデバイスユーザを具体的にターゲットにするコマーシャル広告情報を含むことができる。要求される情報に能動的にアクセスすることを消費者に要求する「プル」モデルをサポートする従来の広告技術とは異なり、図１の配信システム１１０は、デバイスユーザと様々な広告主の両方を定める対応するメタデータに基づいて適切な広告情報を自動的に選択し、かつターゲットデバイスユーザに送信する「プッシュ」モデルをサポートする。図１の実施形態では、配信システム１１０は、金銭的な又は他の補償と引き換えに広告主及びデバイスユーザの両方に配信サービスを提供する配信制御エンティティによって実施かつサポートされる。配信制御エンティティは、情報サービス１１８のような配信システム１１０の重要な要素を維持及び制御する営利事業とすることができる。
【００１７】
本発明により、配信システム１１０は、配信システム１１０における適切なエンティティへ及びそこから様々なタイプの関連情報を自動的に搬送する１つ又はそれよりも多くの搬送構造（図２を参照）を制御及び管理する搬送オペレータ（図６Ｂを参照）を有利に利用することができる。搬送オペレータは、あらゆる効率的な方式で実施することができる。例えば、ある一定の実施形態では、搬送オペレータは、情報サービス１１８の一部として、又はネットワーク１２６のあらゆる位置にあるエンティティとして実施することができる。ある一定の実施形態では、搬送オペレータは、情報サービス１１８から様々なデバイスユーザ、ユーザデバイス１２２、ネットワーク１２６、及びそれぞれの広告主に関するメタデータを収集して転送するために搬送構造を利用することができる。更に、搬送構造は、適切なユーザデバイス１２２にターゲットの広告及び／又は電子コンテンツを搬送するために利用することができる。従って、本発明は、配信手順を実行する搬送オペレータを利用するための改善したシステム及び方法を提供する。図１の配信システム１１０における搬送オペレータの実施及び利用に関する更なる詳細は、図２−１０と共に以下に説明する。
【００１８】
ここで図２を参照すると、本発明による搬送構造２１０の一実施形態のブロック図が示されている。図２の実施形態は、例示的な目的のために示されており、代替実施形態では、搬送構造２１０は、図２の実施形態に関して説明する構成要素及び構成のある一定のものに追加の又はそれらの代わりの構成要素及び構成を利用することによって実施することができる。
【００１９】
図２の実施形態では、タスク命令２１２は、搬送構造２１０による実行のための特定のタスク、オペレーション、機能、又は段階を指示するあらゆる適切な命令又は他の情報を含むことができる。例えば、ある一定の実施形態では、タスク命令２１２は、搬送構造２１０が収集及び／又は配信を指示された情報のタイプを説明する詳細な命令を含むことができる。図２の実施形態では、ナビゲーション命令２１６は、搬送構造２１０に対する特定のナビゲーション指示又は制限を提供するあらゆる適切な命令又は他の情報を含むことができる。例えば、ある一定の実施形態では、ナビゲーション命令２１６は、１つ又はそれよりも多くの起点ポイント及び１つ又はそれよりも多くの宛先ポイントによって定められる少なくとも１つのナビゲーション経路を定めることができる。
【００２０】
図２の実施形態では、データハンドラ２１８は、要求された情報をアップロード又はダウンロードするための配信システム１１０（図１）における他のデバイスと搬送構造２１０が双方向に通信することを可能にするためのあらゆる適切な手段を含むことができる。図２の実施形態では、搬送構造２１０は、搬送構造２１０が、データ又は送信フォーマット、経路、又はアーキテクチャのあらゆる異なるタイプも確実に伝達して利用することを可能にするために、フォーマットモジュール２２０を利用することができる。
【００２１】
図２の実施形態では、メタデータファイル２２２は、配信システム１１０に連結されたあらゆる関連のエンティティに関する収集されて修正可能な情報のあらゆるタイプを含むことができる。図２の実施形態では、メタデータファイル２２２は、以下に限定されるものではないが、ユーザメタデータ、デバイスメタデータ、ネットワークメタデータ、広告主メタデータ、及びコンテンツレンダラーメタデータを含むことができる。図２の実施形態では、ユーザメタデータは、ユーザデバイス１２２（図１）の１人又はそれよりも多くのデバイスユーザに関する情報を含むことができ、デバイスメタデータは、１つ又はそれよりも多くのユーザデバイス１２２に関する情報を含むことができる。図２の実施形態では、ネットワークメタデータは、電子ネットワーク１２６（図１）の様々な属性又はエンティティに関する情報を含むことができる。図２の実施形態では、広告主メタデータは、配信システム１１０に関連付けられた１つ又はそれよりも多くの広告主に関する情報を含むことができる。同様に、コンテンツレンダラーメタデータは、配信システム１１０に関連付けられた１つ又はそれよりも多くのコンテンツレンダラーに関する情報を含むことができる。
【００２２】
配信システム１１０における様々なエンティティは、あらゆる適切な方式でメタデータファイル２２２内の情報を利用することができる。例えば、ユーザメタデータ、デバイスメタデータ、及び広告主メタデータの互換性要素を適合させることにより、広告ターゲティング手順を実行することができ、それによって搬送構造２１０を通じたターゲットデバイスユーザへの自動送信のための関連の広告情報の適切なタイプが識別される。
【００２３】
図２の実施形態では、広告（アド）２２４は、ユーザデバイス１２２（図１）のうちの適切なものへの送信のために選択されたターゲット広告情報のあらゆる適切なタイプを含むことができる。同様に、コンテンツ２２８は、ユーザデバイス１２２のうちの適切なものへの送信のために選択された電子コンテンツ情報のあらゆる適切なタイプを含むことができる。例えば、コンテンツ２２８は、以下に限定されるものではないが、ビデオデータ、オーディオデータ、グラフィック、テキスト、映画、音楽レコーディング、及びコンピュータプログラムを含むことができる。
【００２４】
図２の実施形態では、搬送構造２１０は、配信システム１１０における遠隔デバイスとの双方向電子通信手順を実行する通信モジュール２３２を利用することができる。例えば、ある一定の実施形態では、通信モジュール２３２は、情報サービス１１８の搬送サーバ（図６を参照）と通信するために利用することができる。図２の実施形態では、雑情報２３４は、搬送サービス２１０による利用又は転送のためのあらゆる付加的な情報又はデータを含むことができる。
【００２５】
搬送構造２１０は、あらゆる効率的な方法であらゆる適切なソースから派生すると考えられる。例えば、搬送構造２１０は、ユーザデバイス１２２（図１）に組み込むことができ、必要に応じてデバイスユーザによって起動することができる。代替的に、ネットワーク１２６又は情報サービス１１８における様々なエンティティは、搬送構造２１０を作成又は起動することができる。例えば、搬送サーバ（図６Ａを参照）は、搬送構造２１０の作成及びオペレーションを管理することができる。図２の搬送構造２１０の制御に関する更なる詳細は、図３−１０と共に以下に説明する。
【００２６】
ここで図３を参照すると、本発明による図１のユーザデバイス１２２の一実施形態のブロック図が示されている。図３の実施形態では、ユーザデバイス１２２は、以下に限定されるものではないが、中央演算処理装置（ＣＰＵ）３１４、メモリ３１８、ディスプレイ３３８、及び１つ又はそれよりも多くの入力／出力インタフェース（Ｉ／Ｏインタフェース）３４０を含む。図３の実施形態は、例示的な目的のために示されており、代替実施形態では、ユーザデバイス１２２は、図３の実施形態に関して説明した構成要素及び構成のある一定のものに追加の又はそれらの代わりの構成要素及び構成を使用して実施することができる。更に、ユーザデバイス１２２は、以下に限定されるものではないが、デスクトップコンピュータ、携帯情報端末、携帯電話、セットトップボックス、又はラップトップコンピュータを含む携帯式又は非携帯式の電子デバイスのあらゆるタイプとしても実施することができる。
【００２７】
図３の実施形態では、ＣＰＵ３１４は、ソフトウエア命令を実行することが好ましいあらゆる適切かつ互換性のマイクロプロセッサデバイスを含むように実施することができ、それによってユーザデバイス１２２のオペレーションを制御及び管理する。図３のディスプレイ３３８は、デバイスユーザに様々な情報を表示するための適切なスクリーンを備えたブラウン管モニタ又は液晶表示デバイスを含む表示技術のあらゆる効率的なタイプを含むことができる。図３の実施形態では、Ｉ／Ｏインタフェース３４０は、ユーザデバイス１２２による情報のあらゆる要求されるタイプを受信及び／又は送信するために、１つ又はそれよりも多くの入力及び／又は出力インタフェースを含むことができる。図３の実施形態では、メモリ３１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。ユーザデバイス１２２の利用ための付加的な詳細は、図４−１０と共に以下に更に説明する。
【００２８】
ここで図４を参照すると、本発明による図３のユーザメモリ３１８の一実施形態のブロック図が示されている。代替実施形態では、ユーザメモリ３１８は、図４の実施形態に関して説明する構成要素及び構成のある一定のものに追加の又はそれらの代わりの構成要素及び構成利用することによって実施することができる。
【００２９】
図４の実施形態では、デバイスアプリケーション４２２は、ユーザデバイス１２２に対する様々な機能及びオペレーションを実行するためにＣＰＵ３１４によって実行されることが好ましいプログラム命令を含むことができる。デバイスアプリケーション４２２の特定の性質及び機能は、一般的に、対応するユーザデバイス１２２の特定のタイプ及び特定の機能のようなファクタに応じて異なっている。図４の実施形態では、ユーザデバイス１２２は、ユーザデバイス１２２又はユーザデバイス１２２のデバイスユーザに関するあらゆる要求される属性又は特徴もまとめて説明するユーザプロフィール４３０及びデバイスプロフィール４３４を管理するデータモジュール４２６を利用する。例えば、ユーザプロフィール４３０は、以下に限定されるものではないが、デバイスユーザの名前、性別、年齢、宗教、趣味、関心、職業、配偶者の有無、住所、収入、「インターネット」閲覧履歴、及びクレジットカード取引記録に関する情報を含むことができる。同様に、デバイスプロフィール４３４は、以下に限定されるものではないが、デバイスタイプ、デバイス製造業者、サポートされるデバイス機能、及びデバイス構成を含むことができる。
【００３０】
図４の実施形態では、ドッキングポート４３８は、１つ又はそれよりも多くの搬送構造２１０（図２）とユーザデバイス１２２間の双方向通信を容易にするインタフェース手段のあらゆる適切なタイプを含むことができる。図４の実施形態では、広告（アド）４４２は、ユーザデバイス１２２のデバイスユーザを具体的にターゲットにして配信システム１１０（図１）を通じて１つ又はそれよりも多くの搬送構造２１０から受信されるターゲット広告情報を含むことができる。同様に、コンテンツ４４６は、ユーザデバイス１２２のデバイスユーザを具体的にターゲットにして配信システム１１０（図１）を通じて１つ又はそれよりも多くの搬送構造２１０から受信されるターゲット電子コンテンツ情報を含むことができる。
【００３１】
図４の実施形態では、ユーザデバイス１２２は、あらゆる適切な遠隔エンティティとの双方向電子通信手順を実行する通信モジュール４５０を利用することができる。図４の実施形態では、雑情報４５４は、ユーザデバイス１２２による利用のためのあらゆる適切な付加的情報又はデータを含むことができる。例えば、ある一定の実施形態では、雑情報４５４は、１つ又はそれよりも多くの搬送構造２１０からダウンロードされた配信システム１１０における他のエンティティに関するメタデータの様々なタイプを含むことができる。図４のユーザメモリ３１８の利用に関する更なる詳細は、図５−１０と共に以下に説明する。
【００３２】
ここで図５を参照すると、本発明による図１の情報サービス１１８の一実施形態のブロック図が示されている。図５の実施形態では、情報サービス１１８は、以下に限定されるものではないが、コントローラ５１４、搬送サーバ５１８、アグリゲータ５３８、１つ又はそれよりも多くの広告ソース５４０、１つ又はそれよりも多くのコンテンツソース５４２、及び１つ又はそれよりも多くのリポジトリ５４６を含む。図５の実施形態は、例示的な目的のために示されており、代替実施形態では、情報サービス１１８は、図５の実施形態に関して説明する構成要素及び構成のある一定のものに追加の又はそれらの代わりの構成要素及び構成使用して実施することができる。
【００３３】
図５の実施形態では、コントローラ５１４は、情報サービス１１８のオペレーティング機能を調整するためのあらゆる効率的な制御手段を含むように実施することができる。例えば、ある一定の実施形態では、コントローラ５１４は、情報サービス１１８のオペレーションを管理する対応する制御アプリケーションプログラムを備えたコンピュータデバイスとして実施することができる。代替的に、コントローラ５１４は、ソフトウエア命令を実行するためのあらゆる適切な互換性マイクロプロセッサデバイスを含む中央演算処理装置として実施することができ、それによって情報サービス１１８のオペレーションを制御及び管理する。
【００３４】
図５の実施形態では、本発明による搬送サーバ５１８は、１つ又はそれよりも多くの搬送構造２１０（図２）と通信してこれを制御するためのあらゆる効率的な手段を含むことができる。搬送サーバ５１８の実施及び利用に関する付加的な詳細は、図６Ａ及び６Ｂと共に以下に更に説明する。図５の実施形態では、広告ソース５４０は、配信システム１１０（図１）を通じて搬送構造２１０（図２）による配信のための広告情報を提供するための１つ又はそれよりも多くの適切なエンティティを含むことができる。例えば、広告ソース５４０は、様々な営利事業、特定の広告主、又は広告開発者を含むことができる。
【００３５】
図５の実施形態では、コンテンツソース５４２は、配信システム１１０を通じた搬送構造２１０による配信のための電子コンテンツを提供するための１つ又はそれよりも多くの適切なエンティティを含むことができる。例えば、コンテンツソース５４２は、様々な営利事業、特定の広告主、又はコンテンツ製作者を含むことができる。図５の実施形態では、アグリゲータ５３８は、１つ又はそれよりも多くの搬送構造２１０（図２）を利用することにより、ユーザデバイス１２２（図１）のターゲットデバイスユーザに提供するための適切な広告情報及び／又は電子コンテンツを識別して集約するためのあらゆる効率的な手段を含むことができる。
【００３６】
図５の実施形態では、リポジトリ５４６は、配信システム１１０（図１）のための情報又はデータのあらゆるタイプを記憶するための適切な手段を含むことができる。リポジトリ５４６の一実施形態は、図８と共に以下に更に説明する。情報サービス１１８の実施及び利用ための付加的な詳細は、図６−１０と共に以下に更に説明する。
【００３７】
ここで図６Ａを参照すると、本発明による図５及び７の搬送サーバ５１８の一実施形態のブロック図が示されている。図６Ａの実施形態では、搬送サーバ５１８は、以下に限定されるものではないが、中央演算処理装置（ＣＰＵ）６１４、メモリ６１８、ディスプレイ６３８、及び１つ又はそれよりも多くの入力／出力インタフェース（Ｉ／Ｏインタフェース）６４０を含む。図６Ａの実施形態は、例示的な目的のために示されており、代替実施形態では、搬送サーバ５１８は、図６Ａの実施形態に関して説明した構成要素及び構成のある一定のものに追加の又はそれらの代わりの構成要素及び構成を使用して実施することができる。
【００３８】
図６Ａの実施形態では、ＣＰＵ６１４は、ソフトウエア命令を実行することが好ましいあらゆる適切な互換性マイクロプロセッサデバイスを含むように実施することができ、それによって搬送サーバ５１８のオペレーションを制御及び管理する。図６Ａのディスプレイ６３８は、様々な情報をデバイスユーザに表示するための適切なスクリーンを備えたブラウン管モニタ又は液晶表示デバイスを含む表示技術のあらゆる効率的なタイプを含むことができる。図６Ａの実施形態では、Ｉ／Ｏインタフェース６４０は、ユーザデバイス１２２によって情報のあらゆる要求されるタイプを受信及び／又は送信するために、１つ又はそれよりも多くの入力及び／又は出力インタフェースを含むことができる。図６Ａの実施形態では、搬送サーバ６１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。搬送サーバ５１８の実施及び利用に関する付加的な詳細は、図６Ｂ−１０と共に以下に更に説明する。
【００３９】
ここで図６Ｂを参照すると、本発明による図６Ａの搬送サーバメモリ６１８の一実施形態のブロック図が示されている。図６Ｂの実施形態では、搬送サーバメモリ６１８は、以下に限定されるものではないが、サーバアプリケーション６２２、搬送構造（ＴＳ）マネージャ６２６、ホームポート６３０、搬送データベース６３４、通信モジュール６３６、搬送オペレータ６４０、及び雑情報６４２を含む。代替実施形態では、搬送サーバメモリ６１８は、図６Ｂの実施形態に関して説明した構成要素及び構成のある一定のものに追加の又はそれらの代わりの構成要素及び構成を利用することによって実施することができる。
【００４０】
図６Ｂの実施形態では、サーバアプリケーション６２２は、搬送サーバ５１８のための様々な機能及びオペレーションを実行するためにＣＰＵ６１４（図６Ａ）によって実行されることが好ましいプログラム命令を含むことができる。サーバアプリケーション６２２の特定の性質及び機能は、一般的に、対応する搬送サーバ５１８の特定のタイプ及び特定の機能のようなファクタに応じて異なっている。
【００４１】
図６Ｂの実施形態では、本発明による搬送サーバ５１８は、１つ又はそれよりも多くの搬送構造２１０（図２）のための様々な機能を管理及び調整するＴＳマネージャ６２６を利用することができる。ある一定の実施形態では、ＴＳマネージャ６２６は、配信システム１１０（図１）からの様々な許可された配信サービスに参加するためのユーザデバイス１２２のデバイスユーザを登録するために、登録手順を調整する登録モジュールを含むことができる。図６Ｂの実施形態では、ホームポート６３０は、搬送構造２１０に接続してこれと双方向に通信するために利用することができる。
【００４２】
図６Ｂの実施形態では、搬送データベース６３４は、配信サービスを配信システム１１０における様々なエンティティに提供するためのあらゆる適切な情報を含むことができる。ある一定の実施形態では、搬送オペレータ６４０は、配信システム１１０の現在のステータス及び過去の活動を反映するために、搬送データベース６３４におけるそれぞれの搬送情報を連続的に更新することができる。図６Ｂの実施形態では、搬送サーバ５１８は、あらゆる適切な遠隔エンティティと双方向の電子通信手順を実行する通信モジュール６３６を利用することができる。例えば、通信モジュール６３８は、配信システム１１０における搬送構造２１０と遠隔に通信するために利用することができる。
【００４３】
図６Ｂの実施形態では、搬送オペレータ６４０は、配信システム１１０（図１）のためのあらゆる適切な又は要求される管理又は制御機能を実行することができる。搬送オペレータ６４０の実施及び機能に関する更なる詳細は、図９−１０と共に以下に更に説明する。図６Ｂの実施形態では、雑情報６４２は、搬送サーバ５１８による利用のためのあらゆる適切で付加的な情報又はデータを含むことができる。図６Ｂの搬送サーバ５１８の実施及び利用に関する付加的な詳細は、図９及び１０と共に以下に説明する。
【００４４】
ここで図７を参照すると、本発明の一実施形態による図１の情報サービス１１８の代替実施形態のブロック図が示されている。図７の実施形態では、情報サービス１１８は、以下に限定されるものではないが、１つ又はそれよりも多くのユーザデバイス１２２、搬送サーバ５１８、メタデータサーバ７３０、１つ又はそれよりも多くの広告主ワークステーション７３４、入札サーバ７３８、広告サーバ７４０、記憶サーバ７４４、及び１つ又はそれよりも多くのレンダリングサーバ７４８を含むことができる。図７の実施形態では、情報サービス１１８のある一定の要素は、電子パイプライン７１８を通じて通信する。
【００４５】
代替実施形態では、情報サービス１１８は、図７の実施形態に関して説明した構成要素及び構成のある一定のものに追加の又はそれらの代わりの構成要素及び構成を利用することによって実施することができる。例えば、ある一定の実施形態では、図７の実施形態に示すサーバの一部又は全ては、情報サービス１１８による大量のデータ送信及びデータ処理に対応するために、類似のサーバのそれぞれのバンクとして実施することができる。
【００４６】
図７の実施形態では、配信システム１１０のある一定の要素は、あらゆる効率的な方式で実施することができる電子パイプライン７１８を通じて通信する。例えば、パイプライン７１８は、あらゆる適切な有線又は無線技術を利用することによって配信システム１１０を通じた通信をサポートする１つ又はそれよりも多くのシステムバス又は電子経路として実施することができる。更に、ある一定の実施形態では、パイプライン７１８は、電子通信方法の複数の異なるタイプを同時に利用することによって実施することができる。
【００４７】
図７の情報サービス１１８の典型的なオペレーション中に、ユーザデバイス１２２は、あらゆる適切な手段を通じて搬送サーバ５１８と通信することにより、最初に配信システム１１０からの配信サービスに加入する。登録手順中に、デバイスユーザは、配信システム１１０が、個々のデバイスユーザによってどのプライバシーのレベルが好ましいかに応じて変わるある一定の特定のユーザ情報を収集して利用することを可能にする同意を入力する。ユーザデバイス１２２は、配信システム１１０全体を通して一貫したフォーマット及び用語を利用することによってそれぞれのユーザ情報を定めるユーザメタデータを作成するために、バックボーンライブラリを利用する。次に、ユーザデバイス１２２は、ユーザメタデータを記憶サーバ７４４に記憶する。
【００４８】
図７の実施形態では、広告主は、それぞれの広告主に関する広告主情報を定める適切な広告主メタデータを同様に作成するために、それぞれの広告主ワークステーションＡ（７３４（ａ））から広告主ワークステーションＮ（７３４（ｎ））を利用する。特に、広告主ワークステーション７３４は、パイプライン７１８を通じてバックボーンライブラリにアクセスし、配信システム１１０全体を通して一貫したフォーマット及び用語を利用することにより、それぞれの広告主情報を定める広告主メタデータを作成する。次に、広告主ワークステーション７３４は、パイプライン７１８を通じて記憶サーバ７４４に広告主メタデータを記憶することができる。代替実施形態では、広告主ワークステーション７３４のいずれの要求される数も、情報サービス１１８によってサポートすることができる。
【００４９】
図７の実施形態では、メタデータサーバ７３０は、ユーザメタデータ及び広告主メタデータを結合メタデータファイルに結合し、結合メタデータファイルは、一般的に、パイプライン７１８を通じて記憶サーバ７４４に記憶される。メタデータサーバ７３０は、現在の条件又は新しいイベントの発生を反映するために、メタデータファイルにおけるユーザ及び広告主情報を定期的に更新することができる。図７の実施形態では、次に、様々な広告主ワークステーション７３４は、パイプライン７１８を通じてメタデータファイルにアクセスしてこれを解析することができ、適切なユーザデバイス１２２に広告情報を送信するために様々な広告主からの広告入札を反映するそれぞれの入札メタデータを作成する。次に、広告主ワークステーション７３４は、この入札メタデータをパイプライン７１８を通じて入札サーバ７３８に送信する。
【００５０】
図７の実施形態では、入札サーバ７３８は、所定の入札条件に従って様々な広告主ワークステーション７３４からのそれぞれの入札メタデータを解析し、１つ又はそれよりも多くの「落札」広告主を指示する入札結果を生成する。所定の入札条件は、以下に限定されるものではないが、特定のデバイスユーザに対する宣伝された製品の適合性、広告主によって提供された入札の額、及び宣伝された製品の相対的コストを含むあらゆる適切な情報を含むことができる。
【００５１】
図７の実施形態では、入札サーバ７３８は、入札結果をパイプライン７１８を通じて広告主ワークステーション７３４に送信する。これに応答して、落札広告主は、適切な広告情報（広告）をパイプライン７１８を通じて広告サーバ７４０に送信する。広告主ワークステーション７３４から広告を受信した状態で、広告サーバ７４０は、１つ又はそれよりも多くの適切な搬送構造２１０（図２）を利用することにより、適切なターゲットユーザデバイス１２２に広告を自動的にプッシュ／送信する。ある一定の実施形態では、ユーザデバイス１２２は、「インターネット」のような分散コンピュータネットワーク上で様々な搬送構造２１０と通信することができる。最後に、ユーザデバイス１２２は、あらゆる適切な方式で対応するデバイスユーザにプッシュされた広告を表示することができる。情報サービス１１８の実施及び利用に関する更なる詳細は、図８−１０と共に以下に説明する。
【００５２】
ここで図８を参照すると、本発明による図５からのリポジトリ５３８の一実施形態のブロック図が示されている。図８の実施形態では、リポジトリ５３８は、以下に限定されるものではないが、中央演算処理装置（ＣＰＵ）８１４、メモリ８１８、ディスプレイ８３８、及び１つ又はそれよりも多くの入力／出力インタフェース（Ｉ／Ｏインタフェース）８４０を含む。図８の実施形態は、例示的な目的のために示されており、代替実施形態では、リポジトリ５３８は、図８の実施形態に関して説明した構成要素及び構成のある一定のものに追加の又はそれらの代わりの構成要素及び構成を使用して実施することができる。
【００５３】
図８の実施形態では、ＣＰＵ８１４は、ソフトウエア命令を実行することが好ましいあらゆる適切な互換性マイクロプロセッサデバイスを含むように実施することができ、それによってリポジトリ５３８のオペレーションを制御及び管理する。図８のディスプレイ８３８は、デバイスユーザに様々な情報を表示するための適切なスクリーンを備えたブラウン管モニタ又は液晶表示デバイスを含む表示技術のあらゆる効率的なタイプを含むことができる。図８の実施形態では、Ｉ／Ｏインタフェース８４０は、広告サーバ５３８による情報のあらゆる要求されるタイプを受信及び／又は送信するために、１つ又はそれよりも多くの入力及び／又は出力インタフェースを含むことができる。
【００５４】
図８の実施形態では、メモリ８１８は、以下に限定されるものではないが、読取専用メモリ（ＲＯＭ）、ランダムアクセスメモリ（ＲＡＭ）、及びフロッピーディスク、メモリスティック、コンパクトディスク、又はハードディスクのような不揮発性メモリの様々なタイプを含む要求される記憶デバイスのあらゆる組合せを含むように実施することができる。図８の実施形態では、メモリ８１８は、以下に限定されるものではないが、リポジトリアプリケーション８２２、メタデータ８２６、広告８３０、及びコンテンツ８３４を含む。
【００５５】
図８の実施形態では、リポジトリアプリケーション８２２は、リポジトリ５３８のための様々な機能及びオペレーションを実行するためにＣＰＵ８１４によって実行されることが好ましいプログラム命令を含むことができる。リポジトリアプリケーション８２２の特定の性質及び機能は、一般的に、対応するリポジトリ５３８の特定のタイプ及び特定の機能のようなファクタに応じて異なっている。
【００５６】
図８の実施形態では、メタデータ８２６は、配信システム１１０（図１）におけるあらゆるエンティティ又は処理に関連付けられた情報又はデータを含むことができる。図８の実施形態では、広告８３０は、広告ソース５４０（図５）のようなあらゆる適切なエンティティからリポジトリ５３８に提供される広告情報を含む。同様に、図８の実施形態では、コンテンツ８３４は、コンテンツソース５４２（図５）のようなあらゆる適切なエンティティからリポジトリ５３８に提供される電子コンテンツを含む。本発明により、リポジトリ５３８の複数のインスタンスは、配信システム１１０全体を通して情報及びデータの迅速なアクセス及び経済的な転送を容易にするために適切なロケーションでローカルに実行することができる。
【００５７】
ここで図９を参照すると、本発明による図６Ｂの搬送オペレータ６４０の一実施形態のブロック図が示されている。図９の実施形態は、例示的な目的のために示されており、代替実施形態では、搬送オペレータ６４０は、図９の実施形態に関して説明する構成要素及び機能のある一定のものに追加の又はこれらの代わりの構成要素及び機能を利用することによって実施することができる。
【００５８】
図９の実施形態では、搬送オペレータ（ＴＯ）コントローラ９１２が、搬送オペレータ６４０のための全体的なオペレーションを管理及び調整する。図９の搬送オペレータ６４０は、図５及び８に関して上述したように、適切な情報及びデータをローカルで記憶するために、１つ又はそれよりも多くの記憶リポジトリ５３８を作動及び管理するためのリポジトリマネージャ９１６を利用することができる。図９の実施形態では、搬送構造（ＴＳ）ルーティングモジュール９１８が、様々な関連のあるメタデータを解析し、特定の情報をターゲットデバイスユーザに搬送するための配信システム１１０における最も経済的で効率的な搬送ルートを判断することができる。
【００５９】
図９の実施形態では、搬送構造（ＴＳ）モニタ９２０が、配信システム１１０における全ての搬送構造２１０の活動を連続的にモニタ及び記録する。図９の搬送オペレータ６４０は、配信システム１１０を通じて情報及びデータを搬送するために支払われる適切な送信費を判断するために、送信費計算器９２２を利用する。ある一定の実施形態では、適切な送信費を計算するために、搬送発生の回数、特定の搬送ルート、及び転送されたファイルサイズのような所定の料金ファクタを利用することができる。
【００６０】
図９の実施形態では、メタデータ解析器９２４が、メタデータ又は他の情報のあらゆる適切なタイプを解析し、コンテンツプロバイダ及び広告主を適切なターゲットデバイスユーザに適合させることができる。更に、メタデータ解析器９２４は、メタデータを利用して、配信システム１１０を通じて関連のコンテンツ又は広告を受信することに関心を有すると予想されるデバイスユーザのカテゴリ又はコミュニティを作成することができる。図９の実施形態では、搬送費計算器９２８は、配信システム１１０を通じてターゲット広告及びコンテンツを受信するためにユーザデバイス１２２のデバイスユーザに課すための適切な搬送費を判断することができる。
【００６１】
図９の搬送オペレータ８４０は、十分に大きな数のターゲットデバイスユーザが、そのデバイスユーザにターゲット広告及び／又はコンテンツを送信することを財政的に正当化するために現在存在しているかを判断するためにターゲットデバイスユーザの現在のレベルをモニタする搬送トリガモジュール９３２を利用することができる。所定の送信トリガ閾値に達した場合、搬送トリガモジュール９３２は、適切な情報をターゲットデバイスユーザに送信することを搬送オペレータ８４０に許可することができる。
【００６２】
図９の実施形態では、配信システム１１０の活動に関するあらゆる関連情報を表示するダッシュボードグラフィカルユーザインタフェース（ダッシュボードＧＵＩ）を生成して管理するダッシュボードマネージャ９３４を利用することができる。例えば、ダッシュボードＧＵＩは、システム管理者による観察及びシステム管理者との対話のための搬送オペレータ６４０の機能のいずれかに関する情報を表示することができる。更に、搬送オペレータデータ１０１０（図１０を参照）からの情報も、ダッシュボードＧＵＩに表示することができる。
【００６３】
図９の実施形態では、データ欠陥マネージャ９３８が、搬送構造２１０からの又は配信システム１１０のあらゆる位置での誤りのある又は欠陥のあるメタデータファイル又は他の有害な情報を取り除いて隔離することができる。次に、データ欠陥マネージャ９３８は、欠陥のあるファイルを修復するか又は破壊して取り替えることができる。図９の搬送オペレータ６４０の利用に関する更なる詳細は、図１０と共に以下に説明する。
【００６４】
ここで図１０を参照すると、本発明による搬送オペレータデータ１０１０の一実施形態のブロック図が示されている。図１０の実施形態は、例示的な目的のために示されており、代替実施形態では、搬送オペレータデータ１０１０は、図１０の実施形態に関して説明した要素及び構成のある一定のものに追加の又はそれらの代わりの要素及び構成を利用することによって実施することができる。
【００６５】
図１０の搬送オペレータデータ１０１０は、以下に限定されるものではないが、配信システム１１０のための対応する管理及び制御機能を実行するために搬送オペレータ６４０によって収集又は利用される様々なタイプの情報を含む。搬送オペレータデータ１０１０は、配信システム１１０におけるあらゆる適切なロケーションに記憶することができる。例えば、搬送オペレータデータ１０１０は、搬送サーバ５１８の搬送データベース６３４（図６Ｂ）に記憶することができる。
【００６６】
図１０の実施形態では、搬送構造（ＴＳ）ナビゲーション履歴１０２２は、配信システム１１０における搬送構造２１０のナビゲーションに関するあらゆる関連情報を含むことができる。図１０の実施形態では、搬送構造（ＴＳ）アップロード／ダウンロード権利１０２６は、搬送構造２１０に対する所定の許可されたダウンロード及びアップロード機能及びあらゆるダウンロード及び／又はアップロードの制約を含む。図１０の実施形態では、搬送構造（ＴＳ）ログ１０３０は、配信システム１１０における搬送構造２１０のいずれか又は全ての活動の記録を含む。
【００６７】
図１０の実施形態では、搬送構造（ＴＳ）データベース１０３４は、配信システム１１０における搬送構造２１０の各々に対する識別及び許可情報を含む。図１０の実施形態では、予想されるユーザコミュニティ１０３６は、対応するタイプの広告及び／又はコンテンツに関心を有すると予想されるコミュニティにユーザデバイス１２２のデバイスユーザを分類する情報を含む。
【００６８】
図１０の実施形態では、ドッキング仕様アーカイブ１０４０は、配信システム１１０における様々なエンティティへ及びそこからのドッキング及びナビゲーティングに関する適切な技術的情報を含む。従って、搬送オペレータ６４０は、搬送構造２１０と配信システム１１０における様々なデバイス間の通信のための要求される情報を取得するために、ドッキング仕様アーカイブ１０４０に容易に照会することができる。雑情報１０４２は、搬送オペレータ６４０による利用のためのあらゆる他の情報又はデータを含むことができる。
【００６９】
以上の説明から、搬送オペレータ６４０は、配信システム１１０（図１）におけるオペレーションを管理するためのロバストで調整された手段を提供することが分かる。例えば、搬送オペレータ６４０は、その制御の下で搬送構造２１０の全ての動き及び活動を追跡するためのメタデータを使用するダッシュボードＧＵＩをサポートする。搬送オペレータ６４０は、各搬送構造２１０の初期起動、進行中の搬送の動きを制御し、資格を得たドッキングポートでの情報、広告、及びコンテンツのロード及びアンロードを許可する。
【００７０】
搬送オペレータ６４０は、許可された受信者へ及びそこからの情報、広告、及びコンテンツの収集、搬送、及び配信を受信、実行、及びステージングするために世界中のローカル領域にある作業リポジトリ５３８を維持する。更に、搬送オペレータ６４０は、最も経済的な搬送ルート、ビット転送レートに基づいてルーティング命令を搬送構造２１０に提供し、更に情報、広告、及びコンテンツの最も費用対効果の高い搬送に関してインターネットサービスプロバイダ（ＩＳＰ）及び光ファイバ帯域幅プロバイダとこれらの条件を交渉する。
【００７１】
搬送オペレータ６４０は、各搬送構造２１０に対して情報、広告、及びコンテンツのその現在在庫量、そのドッキングポート、情報、広告、及びコンテンツのロード及びオフロード、ビットレート、及び移動されるルート及びパイプラインを含む総合的なメタデータログを維持する。搬送オペレータ６４０は、ユーザデバイス１２２から搬送オペレータ６４０に提供されて搬送構造２１０に連続的にアップロードされるプライベート消費者情報によって常に更新されるユーザ資格プロフィールに基づく広告主からの直接コマーシャルメッセージングのためのデバイスユーザのアグリゲータとして機能する。
【００７２】
次に、搬送オペレータ６４０は、消費者の要求する製品又はサービスの必要性に適合する広告主にこの情報を公開する（デバイスユーザの許可認証に従って）。搬送オペレータ６４０は、搬送オペレータ６４０への費用として、最良の製品価格、最良の製品又はサービス条件、及び最良のコスト・パー・サウザンド（ＣＰＭ）を含む消費者にアクセスするための価格について広告主と交渉する。
【００７３】
十分なデバイスユーザがコマーシャルメッセージングポッドに集約されてパッケージリリースをトリガするために好みのコンテンツの競争が起こった場合、搬送オペレータ６４０は、広告主供給視聴のためのコマーシャルメッセージング及びデバイスユーザの予想可能な又は直観的なコンテンツ選択の両方をデバイスユーザに対してパッケージ化することができる。少なくとも以上の理由のために、本発明は、電子ネットワークにおいて搬送オペレータを効率的に利用するための改善したシステム及び方法を提供する。
【００７４】
本発明をある一定の実施形態に関して以上のように説明した。他の実施形態は、本発明の開示に照らして当業者には明らかであろう。例えば、本発明は、上述の特定的な実施形態で説明した以外のある一定の構成及び技術を使用して容易に実施することができる。更に、本発明は、上述したもの以外のシステムと共に効率的に使用することができる。従って、説明した実施形態に対するこれら及び他の変形は、添付の特許請求の範囲によってのみ制限される本発明に含まれるように意図している。
【符号の説明】
【００７５】
１１０  配信システム
１１８  情報サービス
１２２  ユーザデバイス
１２６  ネットワーク
【図１】
2010211808.tif 000003
【図２】
2010211808.tif 000004
【図３】
2010211808.tif 000005
【図４】
2010211808.tif 000006
【図５】
2010211808.tif 000007
【図６Ａ】
2010211808.tif 000008
【図６Ｂ】
2010211808.tif 000009
【図７】
2010211808.tif 000010
【図８】
2010211808.tif 000011
【図９】
2010211808.tif 000012
【図１０】
2010211808.tif 000013
【外国語明細書】
2010211808.tif 000014
2010211808.tif 000015
2010211808.tif 000016
2010211808.tif 000017
2010211808.tif 000018
2010211808.tif 000019
2010211808.tif 000020
2010211808.tif 000021
2010211808.tif 000022
2010211808.tif 000023
2010211808.tif 000024
2010211808.tif 000025
2010211808.tif 000026
2010211808.tif 000027
2010211808.tif 000028
2010211808.tif 000029
2010211808.tif 000030
2010211808.tif 000031
2010211808.tif 000032
2010211808.tif 000033
2010211808.tif 000034
2010211808.tif 000035
2010211808.tif 000036
2010211808.tif 000037
2010211808.tif 000038
2010211808.tif 000039
2010211808.tif 000040
2010211808.tif 000041
2010211808.tif 000042
2010211808.tif 000043
2010211808.tif 000044
2010211808.tif 000045
2010211808.tif 000046
2010211808.tif 000047
2010211808.tif 000048
2010211808.tif 000049
2010211808.tif 000050
2010211808.tif 000051
2010211808.tif 000052
2010211808.tif 000053
2010211808.tif 000054
2010211808.tif 000055